【手続補正書】
【提出日】平成22年10月22日(2010.10.22)
【手続補正１】
【補正対象書類名】特許請求の範囲
【補正対象項目名】全文
【補正方法】変更
【補正の内容】
【特許請求の範囲】
【請求項１】
上位制御基板からの制御情報に基づいて液晶表示器の表示領域に各種画像を描画制御して演出の進行を制御する演出制御基板を備えるパチンコ遊技機であって、
前記上位制御基板は、少なくとも、
前記演出制御基板に前記制御情報を出力するコマンド出力制御手段と、
ベース映像による演出、補助映像による演出及びこれらの複合による演出のうちいずれか１つを選択する演出選択制御手段と、
前記ベース映像による演出と前記補助映像による演出とを切り替える切替点を決定する演出切替点決定制御手段と、
を備え、
前記コマンド出力制御手段は、前記演出選択制御手段が前記ベース映像による演出又は前記補助映像による演出を選択したときには該選択した演出と対応する前記制御情報を前記演出制御基板に出力する一方、前記演出選択制御手段が前記ベース映像による演出と前記補助映像による演出との複合による演出を選択したときには該選択した演出と対応する前記制御情報に前記演出切替点決定制御手段が決定した前記切替点を含めて前記演出制御基板に出力し、
前記演出制御基板は、少なくとも、
前記液晶表示器の表示領域に描画再生するベース映像の構成内容が予め時系列にベース画像として規定されて前記ベース映像による演出を進行させるベース映像用スケジュールデータ及びそのベース映像の補助映像の構成内容が予め時系列に補助画像として規定されて前記補助映像による演出を進行させる補助映像用スケジュールデータを記憶するスケジュールデータ記憶部と、
前記ベース画像及び前記補助画像を記憶する画像記憶部と、
前記液晶表示器の表示領域に前記各種画像を描画する画像描画部と、
前記上位制御基板からの前記制御情報を解析する制御情報解析制御手段と、
前記スケジュールデータ記憶部のアドレスを指示するアドレス指示制御手段と、
該アドレス指示制御手段が指示開始する前記スケジュールデータ記憶部のアドレスを決定する開始アドレス決定制御手段と、
前記アドレス指示制御手段が指示する前記スケジュールデータ記憶部のアドレスを進めて更新するアドレス更新制御手段と、
前記アドレス指示制御手段が指示する前記スケジュールデータ記憶部のアドレスに記憶されている前記ベース映像の構成内容に基づいて前記ベース画像を前記画像記憶部から読み出して前記画像描画部に設定したり、又は前記アドレス指示制御手段が指示する前記スケジュールデータ記憶部のアドレスに記憶されている前記補助映像の構成内容に基づいて前記補助画像を前記画像記憶部から読み出して前記画像描画部に設定したりする画像設定制御手段と、
を備え、
前記開始アドレス決定制御手段は、前記制御情報解析制御手段が前記上位制御基板からの前記制御情報が前記ベース映像による演出を行うものであると解析したときには前記スケジュールデータ記憶部に記憶されている前記ベース映像用スケジュールデータの先頭アドレスを前記アドレス指示制御手段が指示開始するアドレスに決定する一方、前記制御情報解析制御手段が前記上位制御基板からの前記制御情報が前記補助映像による演出を行うものであると解析したときには前記スケジュールデータ記憶部に記憶されている前記補助映像用スケジュールデータの先頭アドレスを前記アドレス指示制御手段が指示開始するアドレスに決定する一方、前記制御情報解析制御手段が前記上位制御基板からの前記制御情報が前記ベース映像による演出と前記補助映像による演出との複合による演出を行うものであると解析したときには前記スケジュールデータ記憶部に記憶されている前記ベース映像用スケジュールデータの先頭アドレス又は前記スケジュールデータ記憶部に記憶されている前記補助映像用スケジュールデータの先頭アドレスを前記アドレス指示制御手段が指示開始するアドレスに決定し、
前記アドレス更新制御手段は、前記制御情報解析制御手段が前記上位制御基板からの前記制御情報が前記ベース映像による演出を行うものであると解析したときには前記アドレス指示制御手段が指示する前記スケジュールデータ記憶部に記憶されている前記ベース映像用スケジュールデータの先頭アドレスから次のアドレスに進めて更新する一方、前記制御情報解析制御手段が前記上位制御基板からの前記制御情報が前記補助映像による演出を行うものであると解析したときには前記アドレス指示制御手段が指示する前記スケジュールデータ記憶部に記憶されている前記補助映像用スケジュールデータの先頭アドレスから次のアドレスに進めて変更する一方、前記制御情報解析制御手段が前記上位制御基板からの前記制御情報が前記ベース映像による演出と前記補助映像による演出との複合による演出を行うものであると解析したときであって、前記開始アドレス決定制御手段が前記スケジュールデータ記憶部に記憶されている前記ベース映像用スケジュールデータの先頭アドレスを前記アドレス指示制御手段が指示開始するアドレスに決定したときには当該ベース映像用スケジュールデータの先頭アドレスを次のアドレスに進めて更新し、該更新時期が当該制御情報に含まれている前記切替点に到達すると、前記補助映像用スケジュールデータの先頭アドレスに予め定めたオフセット値を加えたアドレスに切り替え、該切り替えた当該補助映像用スケジュールデータのアドレスを次のアドレスに進めて更新する一方、前記開始アドレス決定制御手段が前記スケジュールデータ記憶部に記憶されている前記補助映像用スケジュールデータの先頭アドレスを前記アドレス指示制御手段が指示開始するアドレスに決定したときには当該補助映像用スケジュールデータの先頭アドレスを次のアドレスに進めて更新し、該更新時期が当該制御情報に含まれている前記切替点に到達すると、前記ベース映像用スケジュールデータの先頭アドレスに予め定めたオフセット値を加えたアドレスに切り替え、該切り替えた当該ベース映像用スケジュールデータのアドレスを次のアドレスに進めて更新することを特徴とするパチンコ遊技機。
【請求項２】
前記切替点は、前記ベース映像による演出及び前記補助映像による演出のテーマ曲の盛り上がるサビに設定されていることを特徴とする請求項１に記載のパチンコ遊技機。
【請求項３】
前記ベース映像による演出は、前記補助映像による演出をトレースして作成され、当該ベース映像による演出と当該補助映像による演出とが同一の動きとなっていることを特徴とする請求項１又は２に記載のパチンコ遊技機。
【手続補正２】
【補正対象書類名】明細書
【補正対象項目名】００４６
【補正方法】変更
【補正の内容】
【００４６】
（解決手段６）
解決手段１〜５のいずれかに記載のパチンコ遊技機であって、前記ベース映像による演出は、前記補助映像による演出をトレースして作成され、当該ベース映像による演出と当該補助映像による演出とが同一の動きとなっていることを特徴とするパチンコ遊技機。こうすれば、ベース映像による演出と補助映像による演出とを切り替えても、ベース映像のベース画像と、補助映像の補助画像と、のズレが極めて小さくなることで遊技者にその切り替え時による違和感を与えにくい。
【手続補正３】
【補正対象書類名】明細書
【補正対象項目名】００４８
【補正方法】変更
【補正の内容】
【００４８】
本発明の請求項１においては、手間をかけずに、演出のバリエーションを増やすことができる。請求項２においては、ベース映像による演出と補助映像による演出とを切り替えることによって、通常遊技状態から遊技者に利益を付与する大当り遊技状態に移行する期待感を高めることができるというパチンコ遊技機に特有な効果を得ることができる。請求項３においては、ベース映像による演出と補助映像による演出とを切り替えても、ベース映像のベース画像と、補助映像の補助画像と、のズレが極めて小さくなることで遊技者にその切り替え時による違和感を与えにくい。